(57)【要約】本発明は、食品、栄養補助食品、医薬品、化学物質および類似の製品の時の経過および温度曝露をモニタするための時間温度インジケータ（TTI）システムに関する。より具体的には、本発明は、TTIシステムを特徴とするキャップシステム、たとえばスクリューキャップシステムを提供する。2020507528.tif 000003
2020507528.tif 000002
【特許請求の範囲】
【請求項１】
容器（17）の開口部（4）を閉鎖するためのキャップ（1）と、時間温度インジケータシステムとを含み、
- 該時間温度インジケータシステムが、第一の組成物（9）を含む少なくとも1つの第一の部分（2）と、第二の組成物（10）を含む少なくとも1つの第二の部分（3）とを含み；
- 該第一の組成物および該第二の組成物が、互いに接触させられた場合に、時間温度依存性の視覚的外観変化を提供し；
- 該第一および第二の組成物が最初は分離されており；
- 該キャップ（1）を動かすことによって該時間温度インジケータ（TTI）システムがアクティブ化され、該動きの間に、該第一および第二の組成物が互いに接触する、
キャップシステム。
【請求項２】
キャップを動かしてTTIをアクティブ化するとき、少なくとも1つの第一の部分が少なくとも1つの第二の部分に対して動かされる、請求項1記載のキャップシステム。
【請求項３】
キャップ（1）がスクリューキャップであり、開口部（4）がねじ山を付けた開口部である、請求項1記載のキャップシステム。
【請求項４】
少なくとも1つの第一の部分または少なくとも1つの第二の部分が第一の位置（X）と第二の位置（Y）との間で動かされ得、該第一の位置において、第一および第二の組成物が分離しており、該第二の位置において、該第一および第二の組成物が接触している、請求項1記載のキャップシステム。
【請求項５】
少なくとも1つの第一の部分が第一の面（6、6'）に配置され、少なくとも1つの第二の部分が、該第一の面に対向する第二の面（8、8'）に配置されている、請求項1記載のキャップシステム。
【請求項６】
キャップがねじられるとき、前記第一および第二の面が、前記第一の位置と第二の位置の間で互いに対して回転するように配置されている、請求項4および5記載のキャップシステム。
【請求項７】
キャップ（1）が内側キャップ要素（5）および外側キャップ要素（7）を含み、キャップ（1）を動かすことによって時間温度インジケータ（TTI）システムがアクティブ化されるとき、該内側キャップ要素が該外側キャップ要素に対して動かされる、請求項1記載のキャップシステム。
【請求項８】
外側キャップ要素が内側キャップ要素に向けて押されるとき、前記第一および第二の面が、前記第一の位置と第二の位置との間で互いに対して動くように配置されている、請求項4、5および7記載のキャップシステム。
【請求項９】
内側キャップ要素が外側キャップ要素に向けて引かれるとき、前記第一および第二の面が、前記第一の位置と第二の位置との間で互いに対して動くように配置されている、請求項4、5および7記載のキャップシステム。
【請求項１０】
内側キャップ要素（5）が第一の面（6）を含み、外側キャップ要素（7）が第二の面（8）を含む、請求項5および7記載のキャップシステム。
【請求項１１】
外側キャップ要素がねじられるとき、前記第一および第二の面が、前記第一の位置と第二の位置との間で互いに対して回転するように配置されている、請求項3、4、5および7記載のキャップシステム。
【請求項１２】
容器上に配置可能なカラー（15）を特徴とする、ねじ山を付けた開口部（4）
を含む、請求項3記載のキャップシステム。
【請求項１３】
カラーが第一の面（6'）を含むか、または、該第一の面が、該カラーが配置され得る容器上にあり、
第二の面（8'）が、キャップ（1）に解放可能に接続されたリング要素（16）上に配置され、該第二の面が、開封の間に該キャップがねじられるときに該第一の面に対して回転して、該リング要素が該キャップから解放されるようになっている、
請求項5および12記載のキャップシステム。
【請求項１４】
第一の部分および第二の部分の少なくとも1つが、キャップシステムの外面上で視覚的外観変化が視認可能であるような透明な材料を含む、請求項1記載のキャップシステム。
【請求項１５】
第一の部分が第一の面中に凹部／ポケットを含み、第二の部分が第二の面中に凹部／ポケットを含む、請求項5記載のキャップシステム。
【請求項１６】
少なくとも1つの第一の部分および少なくとも1つの第二の部分が第一の位置と第二の位置との間で動かされるときに該第一の部分と該第二の部分との間のシーリングを破断するように配置されたシール破断要素を含む、請求項4記載のキャップシステム。
【請求項１７】
少なくとも1つの第一の部分と少なくとも1つの第二の部分との間のシーリング（23）を破断するように配置されたシール破断要素を含み、
該シール破断要素が、解放可能なリング（22）上に配置されたアーム／タブ（21）であり、該リングが、該キャップおよび該解放可能なリングが所望の範囲を超えてねじられると該リングがキャップ（1）の下縁から解放されるように、該下縁に接続されている、
請求項3記載のキャップシステム。
【請求項１８】
少なくとも1つの第一の部分および少なくとも1つの第二の部分が、ねじ山を付けた開口部を含むカラーの上、またはスクリューキャップシステムが配置される容器の表面上に配置され、
キャップがねじられるとき、アーム／タブが該第一または第二の部分の少なくとも一部の上で動かされた際にシーリングが破断されるように、該少なくとも1つの第一の部分および該少なくとも1つの第二の部分が配置されている、
請求項17記載のキャップシステム。
【請求項１９】
前記カラーが容器開口部に配置可能である、請求項12または18記載のキャップシステム。
【請求項２０】
第一の組成物が液体またはゲル組成物であり、第二の組成物が乾燥組成物である、請求項1記載のキャップシステム。
【請求項２１】
第一の組成物が液体組成物であり、第二の組成物が、液体組成物が時間依存的に中を移動し得る材料で作られた縦長要素（12）中に分散しており、キャップ（1）を動かすことによって時間温度インジケータ（TTI）システムがアクティブ化されるとき、該第一の組成物と該縦長要素の一端とが互いに接触する、請求項1記載のキャップシステム。
【請求項２２】
容器の開口部（4）を閉鎖するためのキャップ（1）と、時間温度インジケータシステムとを含み、
- 該時間温度インジケータシステムが、有色組成物（11）を有する少なくとも1つの第一の部分（2）と、該有色組成物が時間依存的に中を移動し得る材料で作られた縦長要素（12）を含む少なくとも1つの第二の部分（3）とを含み；
- 該第一および第二の部分が最初は分離されており；
- 該キャップ（1）の動きの間に該有色組成物と該縦長要素の一端とが互いに接触するように該キャップ（1）を動かすことによって、該時間温度インジケータ（TTI）システムがアクティブ化され；かつ
- 該キャップを動かして該TTIをアクティブ化するとき、該少なくとも1つの第一の部分が該少なくとも1つの第二の部分に対して動かされる、
キャップシステム。
【請求項２３】
有色組成物（11）が有色液体組成物（11）である、請求項22記載のキャップシステム。
【請求項２４】
キャップ（1）がスクリューキャップであり、開口部（4）がねじ山を付けた開口部である、請求項22記載のキャップシステム。
【請求項２５】
少なくとも1つの第一の部分または少なくとも1つの第二の部分が第一の位置（X）と第二の位置（Y）との間で動かされ得、該第一の位置において、第一および第二の組成物が分離しており、該第二の位置において、該第一および第二の組成物が接触している、請求項22記載のキャップシステム。
【請求項２６】
透過性膜（A3、B3、C3）、好ましくは透水性膜および／または水蒸気透過性膜をさらに含む、請求項1記載のキャップシステム。
【請求項２７】
第二の部分が、開口部（4）に対して第一の部分よりも近くに配置され；透過性膜が該開口部（4）と該第二の部分との間に配置されている、請求項26記載のキャップシステム。
【請求項２８】
第一の組成物が乾燥状態（B1）であり、第二の組成物が湿潤状態（B3）であり、その水分が好ましくは容器内の環境に由来する、請求項27記載のキャップシステム。
【請求項２９】
不透過性シーリング（E3）、好ましくは不透水性シーリングおよび／または水蒸気不透過性シーリングをさらに含む、請求項1記載のキャップシステム。
【請求項３０】
第二の部分が、開口部（4）に対して第一の部分よりも近くに配置され；不透過性シーリングが該開口部（4）と該第二の部分との間に配置されている、請求項29記載のキャップシステム。
【請求項３１】
第一の組成物が乾燥状態（E1）であり、第二の組成物が乾燥状態（E2）である、請求項30記載のキャップシステム。
【請求項３２】
キャップ（1）を動かすことによって時間温度インジケータ（TTI）システムがアクティブ化され、
- 前記動きの間に、第一（F1）および第二（F2）の組成物が互いに接触し；かつ
- 前記動きの間に、不透過性シーリングが破断される（F3）、
請求項31記載のキャップシステム。
【請求項３３】
容器内の環境に由来する水分が、破断された不透過性シーリングを通過し、第一および第二の組成物と接触する、請求項32記載のキャップシステム。
【請求項３４】
時間温度インジケータ（TTI）システムがアクティブ化されるとき、第一および／または第二の組成物が、容器内に由来するかまたは該容器の外の環境に由来する成分に曝露される、請求項1または22記載のキャップシステム。
【請求項３５】
第一および第二の組成物が最初はシーリングによって分離されており；キャップシステムがシール破断要素をさらに含み；キャップを動かすことによって時間温度インジケータ（TTI）システムがアクティブ化され；シール破断要素が、該動きの間に該シーリングを破断するように配置され；かつ該第一の組成物および／または第二の組成物が液体である、請求項1記載のキャップシステム。
【請求項３６】
請求項35記載のキャップシステムではない、請求項1記載のキャップシステム。
【請求項３７】
請求項35記載のキャップシステムであるならば、
- 前記動きの間に第一の組成物を第二の組成物と接触させるように配置された組成物移動要素を前記キャップシステムがさらに含むか；または
- 前記動きの間にシーリングを破断して該第一の組成物を該第二の組成物と接触させるように、シール破断要素が配置されている、
請求項1記載のキャップシステム。
【請求項３８】
第一の組成物および／または第二の組成物が液体でも、流体でも、気体でもない、請求項1記載のキャップシステム。
【請求項３９】
第一の組成物および／または第二の組成物がゲルであるか、またはゲルに埋め込まれている、請求項38記載のキャップシステム。
【請求項４０】
第一および第二の組成物が最初はシーリングによって分離されており；かつ該シーリングの破断が、該第一および第二の組成物を互いに接触させるのに十分ではない、請求項1記載のキャップシステム。
【請求項４１】
第一の組成物および／または第二の組成物が、シーリングの破断が第一および第二の組成物を互いに接触させるのに十分ではないことを保証するのに十分なほど高い粘度を有する、請求項1記載のキャップシステム。
【請求項４２】
前記動きの間に第一の組成物を第二の組成物と接触させるように配置された組成物移動要素をさらに含む、請求項1記載のキャップシステム。
【請求項４３】
- 前記動きの間に第一の組成物を第二の組成物と接触させるように配置された組成物移動要素をさらに含むか；または
- 前記動きの間にシーリングを破断して該第一の組成物を該第二の組成物と接触させるように配置されたシール破断要素をさらに含む、
請求項40記載のキャップシステム。
【請求項４４】
第一および第二の組成物が、前記動きの間に、該組成物の少なくとも一方の、他方に向かう制御された動きにより、互いに接触する、請求項1記載のキャップシステム。
【請求項４５】
自由流が、制御された動きではない、請求項44記載のキャップシステム。
【請求項４６】
前記キャップの動きの間に組成物の少なくとも一方を他方に向けて動かすように配置された組成物移動要素をさらに含む、請求項1記載のキャップシステム。
【請求項４７】
第一および第二の組成物が最初はシーリングによって分離されており；キャップシステムがシール破断要素をさらに含み；該シール破断要素が、前記キャップの動きの間、該シーリングを破断して該組成物の少なくとも一方を他方に向けて組成物の制御された速度および／または制御された量でアクティブに動かすように配置されている、請求項1記載のキャップシステム。
【請求項４８】
第一の組成物が量Xを有し、第二の組成物が量Yを有し；前記キャップの動きの間に、該組成物の少なくとも一方の少なくとも80体積％、たとえば85体積％、90体積％、95体積％、98体積％または100体積％が他方に向けて動かされる、請求項1記載のキャップシステム。
【請求項４９】
第一の組成物および／または第二の組成物が非流動性である、請求項1記載のキャップシステム。
【請求項５０】
第一および第二の組成物が、前記動きの間に、該組成物の少なくとも一方の、他方に向かう制御された変位により、互いに接触する、請求項1記載のキャップシステム。
【請求項５１】
自由流が、制御された変位ではない、請求項50記載のキャップシステム。
【発明の詳細な説明】
【技術分野】
【０００１】
発明の分野
本発明は、食品、栄養補助食品、医薬品、化学物質および類似の製品の時の経過および温度曝露をモニタするための時間温度インジケータ（TTI）システムに関する。より具体的に、本発明は、TTIシステムを特徴とするキャップシステム、たとえばスクリューキャップシステムを提供する。
【背景技術】
【０００２】
発明の背景
特に食品産業および製薬産業における多くの製品は、有限の耐用年数の間に劣化、崩壊または腐敗する。そのような製品が劣化する速度は環境条件に依存し得る。したがって、そのような製品は、多くの場合、制御された環境条件下の容器に挿入され、容器は、製品を容器の外の環境から隔離するために密封され、それにより、製品をより長期間より新鮮に保つ。そのような容器をはじめて開封すると、その中に収容されている製品は外部環境に曝露され、製品の劣化は一般的に、密封容器内にあるときの製品の劣化速度と比べて加速する。さらに、劣化の速度は一般に周囲温度に依存する。したがって、密封容器に収容されている製品の、容器開封前の貯蔵寿命と、最初に容器を開封したのち製品が使用されるべき期間との両方を指定することが一般的である。
【０００３】
このように製品を容器に貯蔵することに関する問題は、特定の容器を最初に開封した時間を記録しないならば、容器内に収容された製品がどの程度劣化したか、特に、最初に開封したのち製品が使用されるべきである期間が切れたかどうかを判断することが困難であることである。食品または医薬品の場合、最初に開封したのち製品が使用されるべきであった期間の満了後にそのような製品を消費することは健康リスクを呈するおそれがある。
【０００４】
この問題に対する様々な解決手段が存在する。たとえば、US9235194（特許文献1）およびUS6373786（特許文献2）は、密封容器を開封することによってアクティブ化される時間インジケータを開示している。
【０００５】
WO2009/040547（特許文献3）は、それぞれ第一および第二の液体を収容する第一および第二の相互接続されたリザーバを含む時間インジケータ装置を開示している。該第一および第二の液体の間に第一のバリヤが提供されて該液体の混合を防ぐ。該第一のバリヤは、導管を介して、第三の液体を収容する第三のリザーバに接続され、この第三の液体が、第一の所定の期間にわたって該導管を通過し、該第一のバリヤとの接触時に該第一のバリヤの除去を生じさせて、該第一および第二の液体の混合ならびに混合前の第二の液体とは異なる色の液体混合物の、第二のリザーバ内での生成を促進し、それにより、該第一の所定の期間が経過した時の指示を提供するように適合されている。
【０００６】
US4872570（特許文献4）は、タンパーインジケータ、より具体的には、インジケータの2つの別々の要素の間の相対運動に応答して機能するタンパーインジケータを開示している。
【０００７】
本発明の目的は、容器のための改良されたキャップシステム、たとえばスクリューキャップシステムを提供することである。キャップシステムは、はじめて容器を開封するプロセスにおいてアクティブ化される閾値インジケータまたは時間インジケータ、好ましくは時間温度インジケータを特徴とする。
【先行技術文献】
【特許文献】
【０００８】
【特許文献１】US9235194
【特許文献２】US6373786
【特許文献３】WO2009/040547
【特許文献４】US4872570
【発明の概要】
【０００９】
本発明は、添付の特許請求の範囲および以下において定義される。
【００１０】
第一の局面において、本発明は、容器（17）の開口部（4）を閉鎖するためのキャップ（1）と、時間温度インジケータシステムとを含み、
- 時間温度インジケータシステムが、第一の組成物（9）を含む少なくとも1つの第一の部分（2）と、第二の組成物（10）を含む少なくとも1つの第二の部分（3）とを含み；
- 第一の組成物および第二の組成物が、互いに接触させられた場合に、時間温度依存性の視覚的外観変化を提供し；
- 第一および第二の組成物が最初は分離されており；かつ
- キャップ（1）を動かすことによって時間温度インジケータ（TTI）システムがアクティブ化され、前記動きの間に第一および第二の組成物が互いに接触する、
キャップシステムを提供する。
【００１１】
好ましい態様において、キャップを動かしてTTIをアクティブ化するとき、少なくとも1つの第一の部分が少なくとも1つの第二の部分に対して動かされる。
【００１２】
もう1つの態様において、前記動きの間に、第一および第二の組成物は、自由流とは異なる手段によって互いに接触する。自由流の一例は液体収容カプセルであり、アクティブ化中にカプセルが破裂したのち、カプセルから液体の自由流が起こり、その液体が他方の組成物と接触する。
【００１３】
もう1つの態様において、キャップを動かしてTTIをアクティブ化するとき、第一の組成物が第二の組成物に対して動かされる。関連する態様において、キャップを動かしてTTIをアクティブ化するとき、第一の組成物が第二の組成物に対して動かされるが、キャップを動かしてTTIをアクティブ化するとき、少なくとも1つの第一の部分および／または少なくとも1つの第二の部分は動かされない。本発明の1つの態様において、キャップ（1）はスクリューキャップである。本発明の1つの態様において、開口部（4）はねじ山を付けた開口部である。本発明の1つの態様において、キャップ（1）はスクリューキャップであり、開口部（4）はねじ山を付けた開口部である。スクリューキャップは、好ましくは、閉じた頂部と、開口端と、容器におけるねじ山を付けた開口部と相互作用するための雌ねじとを含む。
【００１４】
本発明の1つの態様において、第一の部分は第二の部分に隣接して位置しない。もう1つの態様において、アクティブ化の前に第一の組成物と第二の組成物とが互いに接触させられないことを保証するために、第一の部分は最初は第二の部分からたとえば所定の物理的距離だけ物理的に分離されている。
【００１５】
本発明の1つの態様において、第一の組成物と第二の組成物とは最初は分離されているが、シーリングによって分離されているわけではない。第一の組成物と第二の組成物とは最初はシーリングによって分離されているわけではないため、時間温度インジケータシステムはシーリングの開放および／または破断によってアクティブ化されることはない。
【００１６】
キャップシステムの1つの態様において、少なくとも1つの第一の部分または少なくとも1つの第二の部分は第一の位置と第二の位置との間で動かされ得、第一の位置において、第一および第二の組成物は分離しており、第二の位置において、第一および第二の組成物は接触している。
【００１７】
キャップシステムの1つの態様において、少なくとも1つの第一の部分は第一の面に配置され、少なくとも1つの第二の部分は、第一の面に対向する第二の面に配置されている。
【００１８】
1つの態様において、第一および第二の面は、TTIシステムのアクティブ化の間、接触している。TTIシステムがアクティブ化されたのち、TTIシステムは、第一および第二の面が直接接触していないとしても、アクティブにとどまる。アクティブ化の前、第一および第二の面は、アクティブ化のモードに依存して、離れていてもよいし、接触していてもよい。
【００１９】
もう1つの態様において、TTIシステムがアクティブ化されたのち、第一および第二の面は接触している。アクティブ化の前、第一および第二の面は、アクティブ化のモードに依存して、離れていてもよいし、接触していてもよい。
【００２０】
キャップシステムの1つの態様において、キャップがねじられるとき、第一および第二の面は、第一の位置と第二の位置との間で互いに対して回転するように配置されている。
【００２１】
キャップシステムの1つの態様において、キャップは内側キャップ要素および外側キャップ要素を含み、キャップを動かすことによって時間温度インジケータ（TTI）システムがアクティブ化されるとき、内側キャップ要素は外側キャップ要素に対して動かされる。
【００２２】
キャップシステムの1つの態様において、外側キャップ要素が内側キャップ要素に向けて押されるとき、第一および第二の面は、第一の位置と第二の位置との間で互いに対して動くように配置されている。
【００２３】
キャップシステムの1つの態様において、内側キャップ要素が外側キャップ要素に向けて引かれるとき、第一および第二の面は、第一の位置と第二の位置との間で互いに対して動くように配置されている。
【００２４】
キャップシステムの1つの態様において、内側キャップ要素は第一の面を含み、外側キャップ要素は第二の面を含む。
【００２５】
キャップシステムの1つの態様において、キャップ（1）はスクリューキャップであり、開口部（4）はねじ山を付けた開口部である。好ましくは、外側キャップ要素がねじられるとき、第一および第二の面は、第一の位置と第二の位置との間で互いに対して回転するように配置されている。
【００２６】
本発明の1つの態様において、キャップ（1）はスクリューキャップであり、スクリューキャップは、好ましくは、容器上に配置可能なカラーを特徴とする、ねじ山を付けた開口部を含む。
【００２７】
スクリューキャップシステムの1つの態様において、カラーは第一の面を含むか、または第一の面は、カラーが配置され得る容器上にあり、第二の面は、スクリューキャップに解放可能に接続されたリング要素上に配置され、第二の面が、開封中にスクリューキャップがねじられるとき第一の面に対して回転して、リング要素がスクリューキャップから解放されるようになっている。
【００２８】
キャップシステムの1つの態様において、第一の部分および第二の部分の少なくとも1つは、スクリューキャップシステムの外面上で視覚的外観変化が視認可能であるような透明な材料を含み、好ましくは、第二の面は透明な部分の一部である。
【００２９】
キャップシステムの1つの態様において、第一の部分は第一の面中に凹部／ポケットを含み、第二の部分は第二の面中に凹部／ポケットを含む。
【００３０】
1つの態様において、キャップシステムは、少なくとも1つの第一の部分および少なくとも1つの第二の部分が第一の位置と第二の位置との間で動かされるときに第一の部分と第二の部分との間のシーリングを破断するように配置されたシール破断要素を含む。
【００３１】
1つの態様において、スクリューキャップシステムは、少なくとも1つの第一の部分と少なくとも1つの第二の部分との間のシーリングを破断するように配置されたシール破断要素を含み、シール破断要素は、解放可能なリング上に配置されたアーム／タブであり、該リングは、スクリューキャップおよび解放可能なリングが所望の範囲を超えてねじられるとリングが下縁から解放されるように、スクリューキャップの下縁に接続されている。
【００３２】
スクリューキャップシステムの1つの態様において、少なくとも1つの第一の部分および少なくとも1つの第二の部分は、ねじ山を付けた開口部を含むカラーの上、またはスクリューキャップシステムが配置される容器の表面上に配置され、スクリューキャップがねじられるとき、アーム／タブが第一または第二の部分の少なくとも一部の上で動かされた際にシーリングが破断されるように、少なくとも1つの第一の部分および少なくとも1つの第二の部分は配置されている。
【００３３】
スクリューキャップシステムの1つの態様において、カラーは、少なくとも1つの第一の部分を含む下チャネル要素と、少なくとも1つの第二の部分を含む協働的な上チャネル要素とを含み、上チャネル要素の少なくとも一部は透明であり、下チャネル要素に対して回転し得る。
【００３４】
スクリューキャップシステムの1つの態様において、開封中にスクリューキャップがねじられるとき上チャネル要素が下チャネル要素に対して回転して、スクリューキャップから解放されるように、上チャネル要素はスクリューキャップに解放可能に接続されている。
【００３５】
スクリューキャップシステムの1つの態様において、カラーは容器開口部に配置可能である。
【００３６】
キャップシステムの1つの態様において、第一の組成物は液体またはゲル組成物であり、第二の組成物は乾燥組成物である。
【００３７】
本発明のもう1つの態様において、第一の組成物は乾燥組成物であり、第二の組成物は乾燥組成物である。
【００３８】
キャップシステムの1つの態様において、第一の組成物は液体組成物であり、第二の組成物は、液体組成物が時間温度依存的に中を移動し得る材料で作られた縦長要素中に分散しており、キャップを動かすことによって時間温度インジケータ（TTI）システムがアクティブ化されるとき、第一の組成物と縦長要素の一端とが互いに接触する。
【００３９】
本発明の1つの態様において、第一の組成物または第二の組成物のいずれも、アクティブ化の前に任意の固相の金属化合物を含まない。本発明のもう1つの態様において、互いに接触させられたとき時間温度依存性の視覚的外観変化を提供する組成物は、アクティブ化の前に任意の固相の金属化合物を含まない。好ましくは、時間温度インジケータシステムは、アクティブ化の前に任意の固相の金属化合物を含まない。
【００４０】
本発明の1つの態様において、「固相の金属化合物」とは、1つの元素のみを含有し、その元素が金属である固相をいう。Ag(S）が、1つの元素で構成されその元素が金属である固相の金属化合物の典型例である。AgCl(S）は、2つの異なる元素を含み、それらの原子の一方だけが金属である化合物である。したがって、この態様において、AgCl(S）は、固相の金属化合物とはみなされない。Ag+(l）は、1つの元素のみで構成され、その元素が金属であるが、固相ではない。したがって、この態様において、Ag+(l）は、固相の金属化合物とはみなされない。
【００４１】
本発明の1つの態様において、「固相の金属化合物」とは、2つ以上の元素を含有し、それらの元素が金属である固相をいう。青銅は、主に銅および少量のスズからなり、多くの場合、他の金属が添加されている合金である。したがって、この態様において、青銅は、固相の金属化合物とみなされる。
【００４２】
本発明の1つの態様において、「固相の金属化合物」とは、2つ以上の元素を含有し、それらの元素の少なくとも1つが金属である固相をいう。したがって、この態様において、銅、スズおよび少なくとも1つの非金属からなる合金は、固相の金属化合物とみなされる。
【００４３】
本発明の1つの態様において、キャップシステムはさらに透過性膜を含む。1つの態様において、透過性膜は、気体透過性膜、特に、水蒸気透過性膜である。1つの態様において、透過性膜は透水性膜である。
【００４４】
好ましくは、第二の部分は、開口部（4）に対して第一の部分よりも近くに配置され；透過性膜が開口部（4）と第二の部分との間に配置されている。
【００４５】
本発明の1つの態様において、第一の組成物は乾燥状態（B1）であり、第二の組成物は湿潤状態（B3）であり、その水分は好ましくは容器内の環境に由来する。
【００４６】
本発明の1つの態様において、キャップシステムはさらに、不透過性シーリング（E3）を含む。1つの態様において、不透過性シーリングは、気体不透過性シーリング、特に、水蒸気不透過性シーリングである。1つの態様において、不透過性シーリングは水不透過性シーリングである。好ましくは、第二の部分は、開口部（4）に対して第一の部分よりも近くに配置され；不透過性シーリングが開口部（4）と第二の部分との間に配置されている。
【００４７】
本発明の1つの態様において、第一の組成物は乾燥状態であり、第二の組成物は乾燥状態である。
【００４８】
本発明の1つの態様において、第二の部分は、開口部に対して第一の部分よりも近くに配置され；不透過性シーリングが開口部と第二の部分との間に配置されている。
【００４９】
本発明の1つの態様において、第一の組成物は乾燥状態であり、第二の組成物は乾燥状態である。
【００５０】
本発明の1つの態様においては、キャップを動かすことによって時間温度インジケータ（TTI）システムがアクティブ化され、前記動きの間に、第一および第二の組成物が互いに接触し；かつ前記動きの間に、不透過性シーリングが破断される。
【００５１】
本発明の1つの態様において、容器内の環境に由来する水分は、破断された不透過性シーリングを通過し、第一および第二の組成物と接触する。
【００５２】
本発明の1つの態様において、時間温度インジケータ（TTI）システムがアクティブ化されるとき、第一および／または第二の組成物は、容器内に由来するかまたは容器の外の環境に由来する成分に曝露される。
【００５３】
本発明の1つの態様において、第一および第二の組成物は最初はシーリングによって分離されており；キャップシステムはシール破断要素をさらに含み；キャップを動かすことによって時間温度インジケータ（TTI）システムがアクティブ化され；シール破断要素は、前記動きの間にシーリングを破断するように配置され；かつ第一の組成物および／または第二の組成物は液体である。
【００５４】
本発明の代替態様において、請求項1のキャップシステムは、第一および第二の組成物が最初はシーリングによって分離されており；キャップシステムがシール破断要素をさらに含み；キャップを動かすことによって時間温度インジケータ（TTI）システムがアクティブ化され；シール破断要素が、前記動きの間にシーリングを破断するように配置され；かつ第一の組成物および／または第二の組成物が液体である、請求項1のキャップシステムではない。
【００５５】
本発明のもう1つの代替態様において、第一および第二の組成物は最初はシーリングによって分離されており；キャップシステムはシール破断要素をさらに含み；キャップを動かすことによって時間温度インジケータ（TTI）システムがアクティブ化され；シール破断要素は、前記動きの間にシーリングを破断するように配置され；第一の組成物および／または第二の組成物は液体であり；かつ
- キャップシステムは、前記動きの間に第一の組成物を第二の組成物と接触させるように配置された組成物移動要素をさらに含むか；または
- シール破断要素は、前記動きの間にシーリングを破断して第一の組成物を第二の組成物と接触させるように、配置されている。
【００５６】
本発明の1つの態様において、第一の組成物および／または第二の組成物は液体でも、流体でも、気体でもない。もう1つの態様において、第一の組成物および／または第二の組成物は液体ではない。もう1つの態様において、第一の組成物および／または第二の組成物は流体ではない。もう1つの態様において、第一の組成物および／または第二の組成物は気体ではない。
【００５７】
本発明の1つの態様において、第一の組成物および／または第二の組成物はゲルであるか、またはゲルに埋め込まれている。
【００５８】
本発明の1つの態様において、第一および第二の組成物は最初はシーリングによって分離されており；かつシーリングの破断は、第一および第二の組成物を互いに接触させるのに十分ではない。
【００５９】
本発明の1つの態様において、第一の組成物および／または第二の組成物は、シーリングの破断が第一および第二の組成物を互いに接触させるのに十分ではないことを保証するのに十分なほど高い粘度を有する。
【００６０】
本発明の1つの態様において、キャップシステムはさらに、前記動きの間に第一の組成物を第二の組成物と接触させるように配置された組成物移動要素を含む。
【００６１】
本発明の1つの態様において、第一および第二の組成物は最初はシーリングによって分離されており；キャップシステムは、前記動きの間に第一の組成物を第二の組成物と接触させるように配置された組成物移動要素をさらに含むか；または、キャップシステムは、前記動きの間にシーリングを破断して第一の組成物を第二の組成物と接触させるように配置されたシール破断要素をさらに含む。
【００６２】
本発明の1つの態様において、第一および第二の組成物は、前記動きの間に、組成物の少なくとも一方の、他方に向かう制御された動きにより、互いに接触する。
【００６３】
本発明に関連して、「組成物の制御された動き」とは、動かされる組成物の制御された移動速度および制御された量を生じさせる、組成物に加えられる物理的力によって生じる動きをいう。物理的力は、たとえば、キャップの動きの間に第一の組成物を第二の組成物と接触させるように配置された組成物移動要素の形態にあり得る。キャップの動きの間、キャップに加えられる力は、たとえば、組成物移動要素に移され得、その組成物移動要素が組成物の少なくとも一方を他方に向けてアクティブに押す。穿刺される液体含有カプセルはカプセルからの液体の流出を提供し得るが、この種の自由流は制御されない動きであり、本発明の制御された動きを表すものではない。
【００６４】
本発明の1つの態様において、TTIシステムは流体含有カプセルを含まない。本発明の1つの態様において、流体含有カプセルは、キャップの動きの間、すなわちキャップシステムのアクティブ化の間、破裂しない。
【００６５】
本発明の1つの態様において、キャップシステムは、キャップの動きの間に組成物の少なくとも一方を他方に向けて動かすように配置された組成物移動要素をさらに含む。
【００６６】
本発明の1つの態様において、第一および第二の組成物は最初はシーリングによって分離されており；キャップシステムはシール破断要素をさらに含み；シール破断要素は、キャップの動きの間にシーリングを破断して組成物の少なくとも一方を他方に向けて組成物の制御された速度および／または制御された量で動かすように、配置されている。
【００６７】
本発明の1つの態様において、第一の組成物は量Xを有し、第二の組成物は量Yを有し；キャップの動きの間、すなわちキャップシステムのアクティブ化の間、組成物の少なくとも一方の量の少なくとも80％、たとえば85％、90％、95％、98％または100％が他方に向けて動かされる。
【００６８】
本発明の1つの態様において、第一の組成物および／または第二の組成物は非流動性である。本発明の1つの態様において、第一の組成物は非流動性である。もう1つの態様において、第二の組成物は非流動性である。
【００６９】
本発明に関連して、「非流動性」とは、固体、半固体またはそれらの組み合わせである相をいう。組成物が非流動性であるならば、組成物は、外力が組成物に加わらない限り、動くことはない。非流動性組成物の例が以下に記される：乾燥組成物、ゲルの形態にある、またはゲル内に埋め込まれた組成物、固体組成物、有意な流動性を有しない高粘度組成物、多孔質組成物および構造化または結晶質組成物。上記を考慮すると、液体または流体は非流動性組成物ではないことが明らかである。液体含有カプセルの場合、流動性は液体に固有の性質であるため、液体そのものは非流動性組成物ではない。
【００７０】
少なくとも一定期間内は非流動性である粘弾性物質が、非流動性組成物とみなされ得る組成物のもう1つの例である。粘弾性物質に関する非流動性は観察時間に依存する。粘弾性物質は一般的に、時間が短く、弾性が有意であるならば、非流動性とみなされる。粘弾性物質はまた、物質に加えられる剪断力に依存する。ダイラタント物質が、粘度が剪断ひずみの速度とともに増し、剪断を受けても非流動性であり得る物質である。
【００７１】
本発明の1つの態様において、非流動性物質は、ダイラント物質、たとえばウーブレックである。
【００７２】
本発明の1つの態様において、観察時間はアクティブ化プロセスの時間の範囲である。範囲は、アクティブ化プロセスの時間の10〜500％、20％〜200％または50％〜200％と定められ得る。
【００７３】
本発明の1つの態様において、第一および第二の組成物は、キャップの動きの間に、自由流とは異なる手段によって互いに接触する。1つの態様において、キャップシステムは、組成物の少なくとも一方を他方と接触させるための手段をさらに含む。組成物移動要素が、組成物の少なくとも一方を他方と接触させるための手段の一例である。
【００７４】
組成物移動要素は、第一または第二の組成物を任意で含む、ロッド、チューブまたはスパイクなどの剛性要素の形態にあり得る。組成物移動要素は一般的に、キャップの動きの間に、すなわちキャップシステムのアクティブ化の間、押されて、または引かれて、他方の組成物と接触する。
【００７５】
本発明の1つの態様において、組成物の少なくとも一方を他方と接触させるための手段によって提供される動きは、組成物に固有の性質によって提供されるポテンシャル流よりも大きい。したがって、第一および／または第二の組成物は液体であるとしても、それらは、自由流によって互いに接触させられるのではなく、むしろ、組成物の少なくとも一方を他方と接触させるための手段によって提供される制御された動きによって接触させられる。
【００７６】
本発明の1つの態様において、組成物の少なくとも一方を他方と接触させるための手段によって提供される動きは、組成物の少なくとも一方が少なくとも第一の位置から少なくとも第二の位置へと動く制御された動きであり、少なくとも1つの組成物は少なくとも第二の位置において他方の組成物と接触する。
【００７７】
本発明の1つの態様において、組成物の少なくとも一方を他方と接触させるための手段によって提供される動きは、組成物の少なくとも一方を他方と接触させるために提供される唯一の動きである。
【００７８】
本発明の1つの態様において、組成物の少なくとも一方を他方と接触させるための手段によって提供される動きは、組成物の少なくとも一方を動かして他の少なくとも1つと接触させるように配置された組成物移動要素によってのみ提供される。
【００７９】
本発明の1つの態様において、組成物の少なくとも一方を他方と接触させるための手段は毛管力によって提供されるものではない。
【００８０】
本発明の1つの態様において、組成物の少なくとも一方を他方と接触させるための手段は圧力差によって提供されるものではない。
【００８１】
本発明の1つの態様において、組成物の少なくとも一方を他方と接触させるための手段は温度差によって提供されるものではない。
【００８２】
本発明の1つの態様において、組成物の少なくとも一方を他方と接触させるための手段は重力によって提供されるものではない。
【００８３】
本発明に関連して、「自由流」という用語は、アクティブ化プロセスにおいて組成物移動要素の直接的な影響なしで組成物が部分的または完全に変位することと定義される。
【００８４】
本発明の1つの態様において、第一および第二の組成物は、前記動きの間に、組成物の少なくとも一方の、他方に向かう制御された変位により、互いに接触する。自由流は制御された変位を表さない。
【００８５】
本発明の1つの態様において、キャップシステムは、製品を収容する容器が包装後はじめて開封されたのち、製品の時間温度曝露を連続的にモニタするためのものである。
【００８６】
本発明の1つの態様において、TTIシステムのアクティブ化が時間温度依存プロセスを開始させる。時間温度依存プロセスは、好ましくは、アクティブ化後の製品の時間温度曝露を連続的に反映する視覚的変化を生じさせるプロセスである。
【００８７】
本発明の1つの態様において、TTIシステムはタンパーインジケータではない。
【００８８】
第二の局面において、本発明は、容器の開口部を閉鎖するためのキャップと、時間温度インジケータシステムとを含み、
時間温度インジケータシステムが、有色組成物を有する少なくとも1つの第一の部分と、該有色組成物が時間依存的に中を移動し得る材料で作られた縦長要素を含む少なくとも1つの第二の部分とを含み；
第一および第二の部分が最初は分離されており；かつ
該有色組成物と該縦長要素の一端とが互いに接触するようにキャップを動かすことによって、時間温度インジケータ（TTI）システムがアクティブ化される、
キャップシステムを提供する。
【００８９】
第二の局面の1つの態様において、有色組成物は有色液体組成物である。
【００９０】
第二の局面の1つの態様において、縦長要素は、有色組成物が時間温度依存的に中を移動し得る材料で作られている。
【００９１】
第二の局面の1つの態様において、キャップを動かしてTTIをアクティブ化するとき、少なくとも1つの第一の部分が少なくとも1つの第二の部分に対して動かされる。
【００９２】
本発明の第二の局面の1つの態様において、キャップ（1）はスクリューキャップである。本発明の第二の局面の1つの態様において、開口部（4）はねじ山を付けた開口部である。本発明の第二の局面の1つの態様において、キャップ（1）はスクリューキャップであり、開口部（4）はねじ山を付けた開口部である。スクリューキャップは、好ましくは、閉じた頂部と、開口端と、容器におけるねじ山を付けた開口部と相互作用するための雌ねじとを含む。
【００９３】
本発明の第二の局面の1つの態様において、少なくとも1つの第一の部分または少なくとも1つの第二の部分は第一の位置と第二の位置との間で動かされ得、第一の位置において、第一および第二の組成物は分離しており、第二の位置において、第一および第二の組成物は接触している。
【００９４】
本発明の第二の局面の1つの態様において、キャップシステムは、キャップの動きの間に第一の組成物を第二の組成物と接触させるように配置された組成物移動要素をさらに含む。
【００９５】
本発明の第二の局面の1つの態様において、有色組成物は液体でも、流体でも、気体でもない。
【００９６】
本発明の第二の局面の1つの態様において、有色組成物はゲルであるか、またはゲルに埋め込まれている。
【００９７】
本発明の第二の局面の1つの態様において、有色組成物および／または縦長要素は最初はシーリングによって分離されている。キャップシステムは、キャップの動きの間にシーリングを破断するように配置されているシール破断要素をさらに含む。
【００９８】
本発明の第二の局面の1つの態様において、有色組成物および／または縦長要素は最初はシーリングによって分離されており；かつシーリングの破断は、第一の組成物を縦長要素と接触させるのに十分ではない。そして、キャップシステムは、好ましくは、キャップの動きの間にシーリングを破断して有色組成物を縦長要素と接触させるように配置されたシール破断要素をさらに含む。
【００９９】
本発明の第二の局面の1つの態様において、キャップシステムは、キャップの動きの間に有色組成物を縦長要素と接触させるように配置された組成物移動要素をさらに含む。
【０１００】
本発明の第二の局面の1つの態様において、有色組成物は、キャップの動きの間に、有色組成物または縦長要素のいずれかが他方に向かう制御された動きにより、縦長要素と接触する。
【０１０１】
本発明の第二の局面の1つの態様において、有色組成物の自由流は制御された動きではない。
【０１０２】
本発明の第二の局面の1つの態様において、有色組成物は量Xを有し；キャップの動きの間に、有色組成物の少なくとも80体積％、たとえば85体積％、90体積％、95体積％、98体積％または100体積％が縦長要素に向けて動かされる。
【０１０３】
本発明の第二の局面の1つの態様において、有色組成物は非流動性である。
【０１０４】
本発明の第二の局面の1つの態様において、有色組成物は、キャップの動きの間に、有色組成物、縦長要素、またはこれら両方の制御された変位により、縦長要素と接触する。
【０１０５】
本発明の第二の局面の1つの態様において、自由流は制御された変位ではない。
【０１０６】
すべての態様において、スクリューキャップシステムは、第一および第二の組成物を分離する、および／または少なくとも1つの第一の部分と少なくとも1つの第二の部分とを分離する、および／または液体／ゲル組成物の乾燥を防ぐための少なくとも1つのシールを含み得る。
【０１０７】
すべての態様は、第一の組成物を第二の組成物から分離するように配置されたシールを破断するための任意の適当なシール破断要素を含み得る。そのようなシール破断要素はスパイク、タブ、アーム、スクレープなどを含む。
【０１０８】
すべての態様において、スクリューキャップシステムは、TTIシステムアクティブ化および／またはスクリューキャップシステムの開封／閉鎖の所望のシーケンスを達成するための任意の有利なラチェットリング、タブおよび凹部をさらに含み得る。
【図面の簡単な説明】
【０１０９】
以下の図面を参照することによって本発明を詳細に説明する。
【０１１０】
【図１】図1a〜dは、本発明のキャップシステムの第一の態様の略断面図である。
【図２】図2a〜dは、本発明のキャップシステムの第二の態様の略断面図である。
【図３】図3a〜dは、本発明のキャップシステムの第三の態様の略断面図である。
【図４】図4a〜dは、本発明のキャップシステムの第四の態様の略断面図である。
【図５】図5a〜cは、本発明のキャップシステムの第五の態様の概略図である。
【図６】図6a〜cは、本発明のキャップシステムの第六の態様の概略図である。
【図７】図7a〜bは、本発明のキャップシステムの第七の態様の概略図である。
【図８】図8a〜cは、本発明のキャップシステムの第八の態様の概略図である。
【図９】図9a〜bは、本発明のキャップシステムの第九の態様の概略図である。
【図１０】図10a〜bは、本発明のキャップシステムの第10の態様を示す。
【図１１】図11a〜bは、図10a〜bの態様に適した様々な解決手段の詳細を示す。
【図１２】図10a〜bの態様との使用に適したキャップシステムの詳細を示す。
【図１３】本発明に適した様々なキャップ配置を示す。
【図１４】本発明のキャップシステムのキャップ要素間の様々な接続配置を示す。
【図１５】本発明のキャップシステム上の時間温度インジケータによって得られる視覚的変化の様々なグラフィックデザインを示す。
【図１６】図16a〜cは、本発明のキャップシステムの第11の態様の概略図である。
【図１６】図16d〜fは、本発明のキャップシステムの第12の態様の概略図である。
【図１７】図17a〜bは、本発明のキャップシステムの第13の態様の概略図である。
【図１８】図18Aは、（i）容器の開口部を閉鎖するためのキャップ；および（ii）時間温度インジケータシステムを含むキャップシステムを示す。図18Bは、（i）容器のねじ山を付けた開口部を閉鎖するためのスクリューキャップを含むスクリューキャップシステムを示す。
【発明を実施するための形態】
【０１１１】
発明の詳細な説明
図1〜18に示す態様を参照しながら本発明のキャップシステムを詳細に説明する。
【０１１２】
本発明のすべての態様は時間温度依存インジケータシステムを含む。以下の詳細な説明において、時間または時間温度インジケータシステムは概して、第一の組成物および第二の組成物を含むものとして開示される。第一および第二の組成物は、接触した場合に、時間温度依存性の視覚的変化を提供する。視覚的変化は一般に、図記号などを顕現させるための色の変化または色の消失である。いくつかの態様において、第一の組成物は液体またはゲル溶媒であり、第二の組成物は、液体／ゲル溶媒によって湿らされると時間温度依存性の視覚的変化をアクティブ化する、すなわち提供する乾燥製剤である。
【０１１３】
時間温度インジケータシステムは一般に、以下の2つの異なる原理に基づく。
【０１１４】
1．第一の組成物は、縦長要素の中を時間温度依存的に移動することを許される液体組成物である。
【０１１５】
もっとも簡単な場合、第一の組成物は、有色組成物、たとえば有色液体であり得、インジケータは、第一の組成物が移動するときその第一の組成物の前面によって提供される視覚的変化に基づく。または、視覚的変化は、第一の組成物が、縦長要素中に配置された第二の組成物と相互作用することによって生じ、たとえば、第一の組成物は一定のpH値を有し、第二の組成物は、第一の組成物との相互作用によってpHが変化した場合に視覚的変化を提供するpHインジケータである。第一の原理における使用に適した組成物に関してはUS9235194B2の開示を参照すること。本出願における使用に特に有利なインジケータシステムがWO2012/141594に開示されている。開示されたTTIシステムは、はじめは互いの接触を防ぐために分離されている第一および第二のコンパートメント（すなわち、第一の部分および第二の部分）を含む。システムは、該2つのコンパートメントを接触させ、第一のコンパートメントに収容された変旋光性還元剤（すなわち第一の組成物）を含む液体組成物を第二のコンパートメント中で時間温度依存的に移動させることによってアクティブ化される。第二のコンパートメントは、還元されると視覚的外観を変化させる作用物質（すなわち第二の組成物）を含む。そして、変旋光性還元剤は、還元されると視覚的外観を時間温度依存的に変化させる作用物質を還元する。したがって、システムの時間温度感度は2つの時間温度依存プロセスの組み合わせの結果である。たとえばWO2012/141594に開示されている第一の原理のTTIシステムは、図5〜8における下記の態様に特に適している。
【０１１６】
2．第一の組成物は液体／ゲル組成物であり、第一の組成物との相互作用まで不活性である第二の組成物は、第一の組成物、すなわち液体／ゲル組成物によって湿らされる／濡らされるまで不活性である乾燥組成物である。この原理において、第一の組成物および／または第二の組成物は、異なる濃度の活性物質を有する複数の別々の部分に収容される。視覚的変化の速度は活性物質の濃度に依存し、複数の別々の部分は時間温度依存性の視覚的変化を提供する。または、複数の別々の部分中の第一の組成物は、等しい濃度の活性物質を有するが、バリヤフィルムによって第二の組成物から分離されており、このバリヤフィルムを通過して、組成物の一方が、バリヤフィルムの厚さに依存しながら一定期間かけて拡散し得る。時間温度依存インジケータが得られるように、バリヤフィルムの厚さは別々の部分ごとに異なっている。
【０１１７】
特に有利なインジケータシステムが特許出願WO2017/103206に開示されている。WO2017/103206においては、第一または第二の組成物の一方が乾燥組成物であり、他方が液体／ゲル組成物である。乾燥組成物は、たとえば、組成物が溶解している液体を基板に印刷し（すなわち、たとえば、第一または第二の部分に印刷し）、乾燥させることによって得られ得る。乾燥組成物は活性ではない、すなわち、時間温度依存性の視覚的変化を提供しない。乾燥組成物中の活性物質の濃度は様々であり得る。本発明において、時間温度インジケータは、たとえば複数の第一の部分および複数の第二の部分を含み得、各第一の部分は、異なる濃度の活性物質（すなわち、溶媒／ゲル組成物によって湿らされる／濡らされると時間温度依存性の視覚的変化を助長する化合物）を有する乾燥組成物を含み、各第二の部分は、乾燥組成物を湿潤させるための液体／ゲル組成物を含む。たとえばWO2017/103206に開示されている第二の原理によるTTIシステムは、図1〜4および9〜11における下記の態様に特に適している。
【０１１８】
本開示に基づき、当業者は、本キャップシステムにおける使用に適する数多くの時間温度インジケータシステムおよび対応する反応体／組成物を知っているであろう。
【０１１９】
本発明のキャップシステムの第一の態様が図1a〜dに示されている。キャップシステムは、ねじ山を付けた開口部4を閉鎖するためのスクリューキャップ1を含む。ねじ山を付けた開口部は、たとえば接着によって容器17に接続され得るカラー15を特徴とする（たとえば図11aを参照）。スクリューキャップシステムは、複数の第一の部分2、2'および複数の第二の部分3、3'を含む時間温度インジケータ（TTI）システムを特徴とする。図1a〜1dには、例を示すために2つの第一の部分および2つの第二の部分が示されている。しかし、スクリューキャップシステムは一般に、よりよいインジケータ分解能を提供するために、2つよりも多い各部分を特徴とする。第一および第二の部分は、第一の部分2および協働的な第二の部分3が、時間温度インジケータシステムが非アクティブであるとき分離され（たとえば図1bを参照）、スクリューキャップをねじることによってアクティブ化されると密接する（たとえば図1dを参照）ように配置されている。第一の部分それぞれは第一の組成物9を特徴とし、第二の部分それぞれは第二の組成物10を含む。この特定の態様において、第一の組成物は湿潤ゲルであり、第二の組成物は乾燥状態である。2つの第二の部分3のうちの1つにおける第二の組成物10は、他方の第二の部分3'中の第二の組成物中に存在する濃度とは異なる濃度の活性物質を含む。第一の部分と第二の部分とが接触させられると、時間温度依存性の視覚的変化の速度は2つの第二の部分で異なり、時間温度依存インジケータが得られる。述べたように、第二の組成物は乾燥組成物である。そのような組成物は、たとえば、第二の組成物が溶解している液体を印刷することによって得られ得る。これは、たとえばWO2017/103206に開示されているように実施され得る。
【０１２０】
第二の組成物の時間温度依存性の視覚的変化がスクリューキャップシステムの外面で検出可能であるよう、外側キャップ要素7または外側キャップ要素の少なくとも頂部は透明な材料でできている。外側キャップ要素の内面8（すなわち第二の面）は内側キャップ要素5の上面と完全に平坦に合わさり、面対面接触を提供する。外側キャップ要素の内面は第二の組成物10のためのポケット／凹部24を含む。内側キャップ要素5の上面6（すなわち第一の面）は第一の組成物9のためのポケット／凹部25を含む。内側キャップ要素および外側キャップ要素は、内側および外側キャップ要素上の協働的スナップフランジを含む一方向スナップ嵌め接続26によって接続されて、2つのキャップ要素間で回転シールを提供している。スナップ嵌め接続は、外側キャップ要素を内側キャップ要素に対してロックし、内面8と上面6との間にシール面圧を維持する。
【０１２１】
好ましくは、2つの対向面の相互作用は、それだけでも、第一および第二の部分の間での組成物の任意の移動を防ぐのに十分である。しかし、非アクティブ化状態における第一および第二の部分（または第一および第二の組成物）の間の完全な分離を保証するために、適当なシーリング手段、たとえば第一または第二の部分の周囲のリップシール、ワイプシールなどを配置してもよい。2つの面の間のシーリングはまた、軟質材料に対する硬質材料の選択によって、たとえば内側キャップ要素よりも硬い材料で外側キャップ要素を作ることによって増強されてもよい。
【０１２２】
容器に配置される場合、容器がはじめて開封される前、すなわち、TTIシステムが非アクティブ化位置（または第一の位置）にあるとき、スクリューキャップシステムのスクリューキャップ1は最初、ねじ山を付けた開口部4上に完全にねじ付けられている。非アクティブ化位置において、第一の部分2、2'は、対応する第二の部分3、3'と整合しない。開封の間、外側キャップ要素は最初は内側キャップ要素に対して回される。外側キャップ要素は一般に、外側キャップ要素が時期尚早に回転することを防ぐための破断可能なタブ／ピン、バーストリングなど（図示せず）を介してねじ山を付けた開口部4またはカラー15に接続されている。第一の部分2、2'が対応する第二の部分3、3'と整合するように外側キャップ要素が回されたとき（すなわち第二の位置に達したとき）、外側キャップ要素は、たとえば、適切に配置されたタブ／凹部により、所定の位置にロックされて、外側および内側キャップ要素の間のさらなる相対運動を防ぐ。その時、第一および第二の組成物9、10は接触し、TTIシステムがアクティブ化される。外側キャップ要素の回転の継続が内側および外側キャップ要素をねじ山を付けた開口部4に対して移動させ、スクリューキャップがねじ山を付けた開口部から外れる。その後、スクリューキャップをねじ山を付けた開口部に再び取り付けるとき、内側キャップ要素および外側キャップ要素は互いに対して動かず、TTIシステムはアクティブ化位置に維持される。
【０１２３】
第一および第二の部分2、3のサイズは様々であり得る。たとえば、サイズを短くし、このようにして、TTIシステムをアクティブ化するために必要な回転の度数を小さくし得る。
【０１２４】
キャップの回転（この態様においては、外側キャップ要素の回転）は、第一および第二の部分の複数の個々の対をアクティブ化することができる。
【０１２５】
スクリューキャップの回転／色変化／記号の隠蔽または顕現をアンチタンパー警告装置として使用することができる。
【０１２６】
本発明のキャップシステムの第二の態様が図2a〜dに示されている。図1a〜dの態様と比べたときの主な差別的特徴は内側および外側キャップ要素の設計である。第二の態様において、内側キャップ要素5は、内側キャップ要素がねじ山を付けた開口部との相互作用のためのねじを特徴とする第一の態様とは違い、円板要素である。第二の態様の動作／機能は第一の態様に類似している。しかし、内側キャップ要素5の上面6と外側キャップ要素7の内面8との間の相対運動を提供するために、内側キャップ要素は、ねじ山を付けた開口部4の上縁27中の協働的凹部／スロットとの相互作用のための少なくとも1つのタブを含むか、または、外側キャップ要素がそのような相互作用のための少なくとも1つのタブを含む。タブ／凹部アセンブリは図示されない。スクリューキャップ1のはじめての開封の間、内側キャップ要素5上のタブは、外側キャップ要素が回転するとき、TTIシステムがアクティブ化位置にくるまで、すなわち第一および第二の部分2、2'、3、3'が整合するまで、内側キャップ要素がねじ山を付けた開口部に対して動かないことを保証する。タブ／凹部は、アクティブ化位置に達したとき、タブが、ねじの角度により、協働的凹部から持ち上げられるように寸法設定／設計されている。
【０１２７】
本発明のキャップシステムの第三の態様が図3a〜dに示されている。スクリューキャップシステムは、第一の態様に関して説明したように、カラーおよびねじ山を付けた開口部を含む（図示せず）。第一および第二の態様に対する第三の態様の主な差別的特徴は、外側キャップ要素7を内側キャップ要素5に対して直線運動的に押すことによって（すなわち、回転によってではない）複数の第一の部分2および複数の対応する第二の部分3が互いに対して動かされ、TTIシステムがアクティブ化されることである。アクティブ化ののち、内側および外側キャップ要素はいっしょにロックされる。TTIシステムをアクティブ化し、ねじ山を付けた開口部に対するスクリューキャップ全体の回転を許すためには、外側キャップを押さなければならない。外側キャップ要素は、内側キャップ要素に配置されたタブ／ストッパ13との相互作用のために下縁に配置された凹部を含む。タブは、アクティブ化の前のスクリューキャップの回転を防ぎ、アクティブ化の間の第一および第二の部分の正しい配置を保証する。
【０１２８】
本発明のキャップシステムの第四の態様が図4a〜dに示されている。第一および第二の態様に対する第四の態様の主な差別的特徴は、複数の第一の部分2、2'および複数の第二の部分3、3'がねじ山を付けた開口部4の周囲のカラー15に配置されていることである。第一の部分2、2'は、第一の面6'を有する第一の円形チャネル28中のコンパートメント中に配置され、第二の部分3、3'は、協働的な透明な第二の円形チャネル（または異形押出しリング）29中に配置されている。コンパートメントはリップシール16によって画定される。第一および第二のチャネルはスライド可能に接続されて、閉じた円形空間を形成する。第一の部分および第二の部分が互いに接触してTTIシステムがアクティブ化されるまで第二の部分が第一の部分に対して動くように、スクリューキャップ1は第二のチャネル29に解放可能に接続されている。アクティブ化ののち、スクリューキャップと第二のチャネルとの間の接続は解放される。
【０１２９】
本発明のキャップシステムの第五の態様が図5a〜dに示されている。この態様において、第一の液体組成物9を含む第一の部分2が外側キャップ要素7中に配置され、縦長要素12中に分散した第二の組成物10を含む第二の部分3が内側キャップ要素5中に配置されている。縦長要素は、第一の組成物9が時間温度依存的に中を移動し得る材料、たとえば、ある種のウィックまたは多孔質材料を含む。外側キャップ要素の回転中、第一の部分が第二の部分3の一端と整合し、接触させられて、TTIシステムがアクティブ化されるようになる。この特定の態様において、第一の組成物はたとえば還元剤を含み得、第二の組成物は、第一の組成物中の該還元剤によって還元されると色を変える化合物を含み得る。適当な組成物の具体例がたとえばWO2012/141594に開示されている。内側および外側キャップ要素の間の接続に依存して、TTIシステムは、容器17をはじめて開封したときアクティブ化されてもよいし（図5c）、開封後、容器をはじめて閉鎖したときアクティブ化されてもよい（図5b）。
【０１３０】
図6〜8に開示される態様（第六〜第八の態様）は第五の態様に類似している。しかし、これらの態様において、アクティブ化は、第一および第二の部分を互いに対して動かすことによって得られるわけではれない。第一の液体組成物を含む第一の部分は、第二の部分中の縦長要素12の一端の近くに配置されている。第一の組成物は、たとえば、弱いシール32によって第二の組成物（または第二の部分または縦長要素）から分離されている。第一の部分および第二の部分の両方は、内側キャップ要素の上面（図6、7）または外側キャップ要素の内面（図8）に配置されている。これらの態様において、外側キャップ要素の内面（図6、7）または内側キャップ要素の上面（図8）は、アクチベータ要素、すなわちアクチベータタップ30またはばね要素31を含む。TTIシステムは、ばね要素が第一の部分と相互作用して弱いシール32を破断するように外側キャップ要素を内側キャップ要素に対して動かすことによって、アクティブ化される。アクティブ化は、外側キャップ要素を回転させること（図6、7）または外側キャップ要素を内側キャップ要素に向けて押すこと（図8）によって得られる。
【０１３１】
図9a〜bの第九の態様は図3の態様に類似しているが、時間温度依存性の視覚的変化のデザインが異なる。
【０１３２】
本発明のキャップシステムの第10の態様が図10a〜bに示されている。この態様において、TTIシステムは、スクリューキャップがねじられたとき、第一の部分2と第二の部分3との間のシーリング23を破断するように配置されたアーム／タブ21を含む。タブ21は、スクリューキャップ1の下縁に接続された解放可能なリング22上に配置されている。リングは、スクリューキャップおよび解放可能なリングが所望の範囲を超えてねじられて、TTIシステムがアクティブ化されるとき、下縁から解放される。第一の部分2および第二の部分3は、ねじ山を付けた開口部を含むカラー15の上またはスクリューキャップシステムが配置される容器17の表面に配置されている。スクリューキャップがねじられたとき、アーム／タブ21が第一または第二の部分の少なくとも一部の上に動かされた際にシーリングが破断されるように、第一の部分および第二の部分は配置されている。
【０１３３】
図10a〜bのシステムとともに使用するための代替解決手段が図11a〜bに示されている。
【０１３４】
解放可能なリング22およびキャップ1の機能が図12に示されている。
【０１３５】
内側キャップ要素5および外側キャップ要素7を特徴とするキャップ1の様々な機能的組み合わせが図13に示されている。
【０１３６】
内側キャップ要素5と外側キャップ要素7との間の様々なスナップ嵌め接続が図14に示されている。
【０１３７】
本発明のキャップシステムにおいてTTIシステムによって得られる時間温度依存性の視覚的変化の様々な代替デザインが図15に示されている。
【０１３８】
ねじ山を付けた開口部が容器の一体部分であるボトルなどに使用されるとき、スクリューキャップシステムはねじ山を付けた開口部を含まない。
【０１３９】
本発明のキャップシステムの第11の態様が図16a〜cに示されている。キャップシステムは、時間温度インジケータシステムの第一の組成物（A1、B1、C1）および第二の組成物（A2、B2、C2）を、モニタされる製品を収容する容器の中の環境から分離する透水性膜（A3、B3、C3）を含む。モニタされる製品を取り囲む環境の中の水分が透水性膜を通過し、それにより、透水性膜にもっとも近い組成物（B2、C2）を湿らせる。時間温度インジケータシステムは、第一の組成物（C1）を第二の組成物（C2）と接触させることによってアクティブ化される。図16Aは、非アクティブ状態にある、長期保存に適したキャップを示す。図16Bは、製品容器と組み合わされたが、まだ非アクティブ状態にあるキャップを示す。図16Cは、アクティブ状態にある、製品容器と組み合わされたキャップを示す。A1およびB1は、乾燥状態にある第一の組成物を表す。C1は、湿潤状態にある第一の組成物を表す。A2は、乾燥状態にある第二の組成物を表す。B2およびC2は、湿潤状態にある第二の組成物を表す。A3、B3およびC3は透水性膜を表す。
【０１４０】
本発明のキャップシステムの第12の態様が図16d〜eに示されている。キャップシステムは、時間温度インジケータシステムの第一の組成物（E1、F1）および第二の組成物（E2、F2）を、モニタされる製品を収容する容器の中の環境から分離する不透水性シーリング（E3、F3）を含む。モニタされる製品を取り囲む環境の中の水分は不透水性膜を通過せず；したがって、不透水性膜にもっとも近い組成物（E2、F2）は、シーリング（E3、F3）が破断されるまで、乾いたままである。時間温度インジケータシステムは、第一の組成物（F1）を第二の組成物（F2）と接触させ、不透水性シーリング（F3）を破断することによってアクティブ化される。図16Dは、非アクティブ状態にある、長期保存に適したキャップを示す。図16Eは、製品容器と組み合わされたが、まだ非アクティブ状態にあるキャップを示す。図16Fは、アクティブ状態にある、製品容器と組み合わされたキャップを示す。D1およびE1は、乾燥状態にある第一の組成物を表す。F1は、湿潤状態にある第一の組成物を表す。D2およびE2は、乾燥状態にある第二の組成物を表す。F2は、湿潤状態にある第二の組成物を表す。E3およびF3は不透水性シーリングを表す。
【０１４１】
本発明のキャップシステムの第13の態様が図17a〜bに示されている。この態様において、時間温度インジケータは、「プレス＆リリースボトル」、たとえば一般的な点鼻スプレーボトルに取り付けられている。キャップは、ねじ山付きでもないし、開封時に回されることが意図されるものでもない。時間温度インジケータの1つの部分がボトルの可動部分に取り付けられ、他の部分がボトルの非可動部分に取り付けられ、該可動部分を押すと、ボトル内の組成物の一定量が放出される。可動部分が押されると、時間温度インジケータの第一の部分が時間温度インジケータの第二の部分と接触させられて、それにより、インジケータをアクティブ化する。図17aは点鼻スプレーボトルの正面図であり、図17bは点鼻スプレーボトルの側面図である。第一および第二の部分を接触させることによってアクティブ化されたインジケータは、アクティブ化ののち2つの部分が分離されるとしても、アクティブ状態にとどまるということが理解されよう。
【０１４２】
上述の第13の態様は、ねじ山付きでもないし、開封時に回されることが意図されるものでもないキャップに関連する。そのようなキャップの非限定的な例は、ワクチンの頂部のキャップ、点鼻スプレーの頂部のキャップまたは塗料バケツなどの容器の閉じた蓋である。または、クロージャは、プラスチックバッグまたは容器と組み合わされたクロージャ、たとえば、バッグインボックスワインまたは血液バッグのクロージャであってもよい。クロージャは、スクイーズ式またはプッシュ作動式であり得る。クロージャが第一および／または第二の部分を含んでもよいし、第一および／または第二の部分が製品容器に取り付けられてもよいし、またはその一体部分であってもよい。アクティブ化中、キャップは一般的に、第一および第二の部分が互いに対して動かされるように動かされる。
【０１４３】
上記態様と関連して説明した特徴に加えて、本発明のキャップシステムはまた、内側キャップ要素、外側キャップ要素および／またはカラーの間の所望の動きのシーケンスを得るための、スクリューキャップをねじ山を付けた開口部に解放可能に固定する、または任意の他の有利な機能のための、任意の必要なラチェットリング、タブ／凹部アセンブリなども含み得る。
【０１４４】
本明細書に挙げられるすべての刊行物、特許出願、特許および他の参考文献は、全体として参照により本明細書に組み入れられる。矛盾が生じる場合、本明細書が、定義を含め、優先される。
【０１４５】
TTIはまた、閾値温度を有し得、すなわち、所与の閾値温度未満で、TTIインジケータの進行は減速または停止する。
【０１４６】
これは、たとえば、所望の閾値温度に等しい融解温度を有するワックス材料中に分散した第一の液体組成物を有することによって得られ得る。
【図１ａ】
2020507528.tif 000004
【図１ｂ】
2020507528.tif 000005
【図１ｃ】
2020507528.tif 000006
【図１ｄ】
2020507528.tif 000007
【図２ａ】
2020507528.tif 000008
【図２ｂ】
2020507528.tif 000009
【図２ｃ】
2020507528.tif 000010
【図２ｄ】
2020507528.tif 000011
【図３】
2020507528.tif 000012
【図４ａ】
2020507528.tif 000013
【図４ｂ】
2020507528.tif 000014
【図４ｃ】
2020507528.tif 000015
【図４ｄ】
2020507528.tif 000016
【図５】
2020507528.tif 000017
【図６】
2020507528.tif 000018
【図７】
2020507528.tif 000019
【図８】
2020507528.tif 000020
【図９】
2020507528.tif 000021
【図１０ａ】
2020507528.tif 000022
【図１０ｂ】
2020507528.tif 000023
【図１１ａ】
2020507528.tif 000024
【図１１ｂ】
2020507528.tif 000025
【図１２】
2020507528.tif 000026
【図１３】
2020507528.tif 000027
【図１４】
2020507528.tif 000028
【図１５】
2020507528.tif 000029
【図１６】
2020507528.tif 000030
【図１７】
2020507528.tif 000031
【図１８】
2020507528.tif 000032
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
容器（17）の開口部（4）を閉鎖するためのキャップ（1）と、時間温度インジケータ（TTI）システムとを含み、
- 該時間温度インジケータシステムが、第一の組成物（9）を含む少なくとも1つの第一の部分（2）と、第二の組成物（10）を含む少なくとも1つの第二の部分（3）とを含み；
- 該第一の組成物および該第二の組成物が、互いに接触させられた場合に、時間温度依存性の視覚的外観変化を提供し；
- 該第一および第二の組成物が最初は分離されており；
- 該キャップ（1）を動かすことによって該TTIシステムがアクティブ化され；
- 該動きの間に、該第一および第二の組成物が互いに接触し；
- 第一の組成物および／または第二の組成物が非流動性である、
キャップシステム。
【請求項２】
キャップを動かしてTTIシステムをアクティブ化するとき、少なくとも1つの第一の部分が少なくとも1つの第二の部分に対して動かされる、請求項1記載のキャップシステム。
【請求項３】
キャップ（1）がスクリューキャップであり、開口部（4）がねじ山を付けた開口部である、請求項1記載のキャップシステム。
【請求項４】
容器上、例えば容器開口部に配置可能なカラー（15）を特徴とする、ねじ山を付けた開口部（4）
を含む、請求項3記載のキャップシステム。
【請求項５】
少なくとも1つの第一の部分と少なくとも1つの第二の部分との間のシーリング（23）を破断するように配置されたシール破断要素を含み、
該シール破断要素が、解放可能なリング（22）上に配置されたアーム／タブ（21）であり、該リングが、該キャップおよび該解放可能なリングが所望の範囲を超えてねじられると該リングがキャップ（1）の下縁から解放されるように、該下縁に接続されている、
請求項3記載のキャップシステム。
【請求項６】
少なくとも1つの第一の部分が第一の面（6、6'）に配置され、少なくとも1つの第二の部分が、該第一の面に対向する第二の面（8、8'）に配置されている、請求項1記載のキャップシステム。
【請求項７】
第一の部分が前記第一の面中に凹部／ポケットを含み、第二の部分が前記第二の面中に凹部／ポケットを含む、請求項6記載のキャップシステム。
【請求項８】
カラーが第一の面（6'）を含むか、または、該第一の面が、該カラーが配置され得る容器上にあり、
第二の面（8'）が、キャップ（1）に解放可能に接続されたリング要素（16）上に配置され、該第二の面が、開封の間に該キャップがねじられるときに該第一の面に対して回転して、該リング要素が該キャップから解放されるようになっている、
請求項4および6記載のキャップシステム。
【請求項９】
第一の組成物が液体またはゲル組成物であり、第二の組成物が乾燥組成物である、請求項1記載のキャップシステム。
【請求項１０】
キャップ（1）が内側キャップ要素（5）および外側キャップ要素（7）を含み、キャップ（1）を動かすことによって時間温度インジケータ（TTI）システムがアクティブ化されるとき、該内側キャップ要素が該外側キャップ要素に対して動かされる、請求項1記載のキャップシステム。
【請求項１１】
第一の組成物が液体組成物であり、第二の組成物が、液体組成物が時間依存的に中を移動し得る材料で作られた縦長要素（12）中に分散しており、キャップ（1）を動かすことによって時間温度インジケータ（TTI）システムがアクティブ化されるとき、該第一の組成物と該縦長要素の一端とが互いに接触する、請求項1記載のキャップシステム。
【請求項１２】
透過性膜（A3、B3、C3）、好ましくは透水性膜および／または水蒸気透過性膜をさらに含む、請求項1記載のキャップシステム。
【請求項１３】
第二の部分が、開口部（4）に対して第一の部分よりも近くに配置され；透過性膜が該開口部（4）と該第二の部分との間に配置されている、請求項12記載のキャップシステム。
【請求項１４】
第一の組成物が乾燥状態（B1）であり、第二の組成物が湿潤状態（B3）であり、その水分が好ましくは容器内の環境に由来する、請求項13記載のキャップシステム。
【請求項１５】
容器の開口部（4）を閉鎖するためのキャップ（1）と、時間温度インジケータシステムとを含み、
- 該時間温度インジケータシステムが、有色組成物（11）を有する少なくとも1つの第一の部分（2）と、該有色組成物が時間依存的に中を移動し得る材料で作られた縦長要素（12）を含む少なくとも1つの第二の部分（3）とを含み；
- 該第一および第二の部分が最初は分離されており；
- 該キャップ（1）の動きの間に該有色組成物と該縦長要素の一端とが互いに接触するように該キャップ（1）を動かすことによって、該時間温度インジケータ（TTI）システムがアクティブ化され；かつ
- 該キャップを動かして該TTIをアクティブ化するとき、該少なくとも1つの第一の部分が該少なくとも1つの第二の部分に対して動かされる、
キャップシステム。
【手続補正２】
【補正対象書類名】明細書
【補正対象項目名】０１０８
【補正方法】変更
【補正の内容】
【０１０８】
すべての態様において、スクリューキャップシステムは、TTIシステムアクティブ化および／またはスクリューキャップシステムの開封／閉鎖の所望のシーケンスを達成するための任意の有利なラチェットリング、タブおよび凹部をさらに含み得る。
[本発明1001]
容器（17）の開口部（4）を閉鎖するためのキャップ（1）と、時間温度インジケータシステムとを含み、
- 該時間温度インジケータシステムが、第一の組成物（9）を含む少なくとも1つの第一の部分（2）と、第二の組成物（10）を含む少なくとも1つの第二の部分（3）とを含み；
- 該第一の組成物および該第二の組成物が、互いに接触させられた場合に、時間温度依存性の視覚的外観変化を提供し；
- 該第一および第二の組成物が最初は分離されており；
- 該キャップ（1）を動かすことによって該時間温度インジケータ（TTI）システムがアクティブ化され、該動きの間に、該第一および第二の組成物が互いに接触する、
キャップシステム。
[本発明1002]
キャップを動かしてTTIをアクティブ化するとき、少なくとも1つの第一の部分が少なくとも1つの第二の部分に対して動かされる、本発明1001のキャップシステム。
[本発明1003]
キャップ（1）がスクリューキャップであり、開口部（4）がねじ山を付けた開口部である、本発明1001のキャップシステム。
[本発明1004]
少なくとも1つの第一の部分または少なくとも1つの第二の部分が第一の位置（X）と第二の位置（Y）との間で動かされ得、該第一の位置において、第一および第二の組成物が分離しており、該第二の位置において、該第一および第二の組成物が接触している、本発明1001のキャップシステム。
[本発明1005]
少なくとも1つの第一の部分が第一の面（6、6'）に配置され、少なくとも1つの第二の部分が、該第一の面に対向する第二の面（8、8'）に配置されている、本発明1001のキャップシステム。
[本発明1006]
キャップがねじられるとき、前記第一および第二の面が、前記第一の位置と第二の位置の間で互いに対して回転するように配置されている、本発明1004および1005のキャップシステム。
[本発明1007]
キャップ（1）が内側キャップ要素（5）および外側キャップ要素（7）を含み、キャップ（1）を動かすことによって時間温度インジケータ（TTI）システムがアクティブ化されるとき、該内側キャップ要素が該外側キャップ要素に対して動かされる、本発明1001のキャップシステム。
[本発明1008]
外側キャップ要素が内側キャップ要素に向けて押されるとき、前記第一および第二の面が、前記第一の位置と第二の位置との間で互いに対して動くように配置されている、本発明1004、1005および1007のキャップシステム。
[本発明1009]
内側キャップ要素が外側キャップ要素に向けて引かれるとき、前記第一および第二の面が、前記第一の位置と第二の位置との間で互いに対して動くように配置されている、本発明1004、1005および1007のキャップシステム。
[本発明1010]
内側キャップ要素（5）が第一の面（6）を含み、外側キャップ要素（7）が第二の面（8）を含む、本発明1005および1007のキャップシステム。
[本発明1011]
外側キャップ要素がねじられるとき、前記第一および第二の面が、前記第一の位置と第二の位置との間で互いに対して回転するように配置されている、本発明1003、1004、1005および1007のキャップシステム。
[本発明1012]
容器上に配置可能なカラー（15）を特徴とする、ねじ山を付けた開口部（4）
を含む、本発明1003のキャップシステム。
[本発明1013]
カラーが第一の面（6'）を含むか、または、該第一の面が、該カラーが配置され得る容器上にあり、
第二の面（8'）が、キャップ（1）に解放可能に接続されたリング要素（16）上に配置され、該第二の面が、開封の間に該キャップがねじられるときに該第一の面に対して回転して、該リング要素が該キャップから解放されるようになっている、
本発明1005および1012のキャップシステム。
[本発明1014]
第一の部分および第二の部分の少なくとも1つが、キャップシステムの外面上で視覚的外観変化が視認可能であるような透明な材料を含む、本発明1001のキャップシステム。
[本発明1015]
第一の部分が第一の面中に凹部／ポケットを含み、第二の部分が第二の面中に凹部／ポケットを含む、本発明1005のキャップシステム。
[本発明1016]
少なくとも1つの第一の部分および少なくとも1つの第二の部分が第一の位置と第二の位置との間で動かされるときに該第一の部分と該第二の部分との間のシーリングを破断するように配置されたシール破断要素を含む、本発明1004のキャップシステム。
[本発明1017]
少なくとも1つの第一の部分と少なくとも1つの第二の部分との間のシーリング（23）を破断するように配置されたシール破断要素を含み、
該シール破断要素が、解放可能なリング（22）上に配置されたアーム／タブ（21）であり、該リングが、該キャップおよび該解放可能なリングが所望の範囲を超えてねじられると該リングがキャップ（1）の下縁から解放されるように、該下縁に接続されている、
本発明1003のキャップシステム。
[本発明1018]
少なくとも1つの第一の部分および少なくとも1つの第二の部分が、ねじ山を付けた開口部を含むカラーの上、またはスクリューキャップシステムが配置される容器の表面上に配置され、
キャップがねじられるとき、アーム／タブが該第一または第二の部分の少なくとも一部の上で動かされた際にシーリングが破断されるように、該少なくとも1つの第一の部分および該少なくとも1つの第二の部分が配置されている、
本発明1017のキャップシステム。
[本発明1019]
前記カラーが容器開口部に配置可能である、本発明1012または1018のキャップシステム。
[本発明1020]
第一の組成物が液体またはゲル組成物であり、第二の組成物が乾燥組成物である、本発明1001のキャップシステム。
[本発明1021]
第一の組成物が液体組成物であり、第二の組成物が、液体組成物が時間依存的に中を移動し得る材料で作られた縦長要素（12）中に分散しており、キャップ（1）を動かすことによって時間温度インジケータ（TTI）システムがアクティブ化されるとき、該第一の組成物と該縦長要素の一端とが互いに接触する、本発明1001のキャップシステム。
[本発明1022]
容器の開口部（4）を閉鎖するためのキャップ（1）と、時間温度インジケータシステムとを含み、
- 該時間温度インジケータシステムが、有色組成物（11）を有する少なくとも1つの第一の部分（2）と、該有色組成物が時間依存的に中を移動し得る材料で作られた縦長要素（12）を含む少なくとも1つの第二の部分（3）とを含み；
- 該第一および第二の部分が最初は分離されており；
- 該キャップ（1）の動きの間に該有色組成物と該縦長要素の一端とが互いに接触するように該キャップ（1）を動かすことによって、該時間温度インジケータ（TTI）システムがアクティブ化され；かつ
- 該キャップを動かして該TTIをアクティブ化するとき、該少なくとも1つの第一の部分が該少なくとも1つの第二の部分に対して動かされる、
キャップシステム。
[本発明1023]
有色組成物（11）が有色液体組成物（11）である、本発明1022のキャップシステム。
[本発明1024]
キャップ（1）がスクリューキャップであり、開口部（4）がねじ山を付けた開口部である、本発明1022のキャップシステム。
[本発明1025]
少なくとも1つの第一の部分または少なくとも1つの第二の部分が第一の位置（X）と第二の位置（Y）との間で動かされ得、該第一の位置において、第一および第二の組成物が分離しており、該第二の位置において、該第一および第二の組成物が接触している、本発明1022のキャップシステム。
[本発明1026]
透過性膜（A3、B3、C3）、好ましくは透水性膜および／または水蒸気透過性膜をさらに含む、本発明1001のキャップシステム。
[本発明1027]
第二の部分が、開口部（4）に対して第一の部分よりも近くに配置され；透過性膜が該開口部（4）と該第二の部分との間に配置されている、本発明1026のキャップシステム。
[本発明1028]
第一の組成物が乾燥状態（B1）であり、第二の組成物が湿潤状態（B3）であり、その水分が好ましくは容器内の環境に由来する、本発明1027のキャップシステム。
[本発明1029]
不透過性シーリング（E3）、好ましくは不透水性シーリングおよび／または水蒸気不透過性シーリングをさらに含む、本発明1001のキャップシステム。
[本発明1030]
第二の部分が、開口部（4）に対して第一の部分よりも近くに配置され；不透過性シーリングが該開口部（4）と該第二の部分との間に配置されている、本発明1029のキャップシステム。
[本発明1031]
第一の組成物が乾燥状態（E1）であり、第二の組成物が乾燥状態（E2）である、本発明1030のキャップシステム。
[本発明1032]
キャップ（1）を動かすことによって時間温度インジケータ（TTI）システムがアクティブ化され、
- 前記動きの間に、第一（F1）および第二（F2）の組成物が互いに接触し；かつ
- 前記動きの間に、不透過性シーリングが破断される（F3）、
本発明1031のキャップシステム。
[本発明1033]
容器内の環境に由来する水分が、破断された不透過性シーリングを通過し、第一および第二の組成物と接触する、本発明1032のキャップシステム。
[本発明1034]
時間温度インジケータ（TTI）システムがアクティブ化されるとき、第一および／または第二の組成物が、容器内に由来するかまたは該容器の外の環境に由来する成分に曝露される、本発明1001または1022のキャップシステム。
[本発明1035]
第一および第二の組成物が最初はシーリングによって分離されており；キャップシステムがシール破断要素をさらに含み；キャップを動かすことによって時間温度インジケータ（TTI）システムがアクティブ化され；シール破断要素が、該動きの間に該シーリングを破断するように配置され；かつ該第一の組成物および／または第二の組成物が液体である、本発明1001のキャップシステム。
[本発明1036]
本発明1035のキャップシステムではない、本発明1001のキャップシステム。
[本発明1037]
本発明1035のキャップシステムであるならば、
- 前記動きの間に第一の組成物を第二の組成物と接触させるように配置された組成物移動要素を前記キャップシステムがさらに含むか；または
- 前記動きの間にシーリングを破断して該第一の組成物を該第二の組成物と接触させるように、シール破断要素が配置されている、
本発明1001のキャップシステム。
[本発明1038]
第一の組成物および／または第二の組成物が液体でも、流体でも、気体でもない、本発明1001のキャップシステム。
[本発明1039]
第一の組成物および／または第二の組成物がゲルであるか、またはゲルに埋め込まれている、本発明1038のキャップシステム。
[本発明1040]
第一および第二の組成物が最初はシーリングによって分離されており；かつ該シーリングの破断が、該第一および第二の組成物を互いに接触させるのに十分ではない、本発明1001のキャップシステム。
[本発明1041]
第一の組成物および／または第二の組成物が、シーリングの破断が第一および第二の組成物を互いに接触させるのに十分ではないことを保証するのに十分なほど高い粘度を有する、本発明1001のキャップシステム。
[本発明1042]
前記動きの間に第一の組成物を第二の組成物と接触させるように配置された組成物移動要素をさらに含む、本発明1001のキャップシステム。
[本発明1043]
- 前記動きの間に第一の組成物を第二の組成物と接触させるように配置された組成物移動要素をさらに含むか；または
- 前記動きの間にシーリングを破断して該第一の組成物を該第二の組成物と接触させるように配置されたシール破断要素をさらに含む、
本発明1040のキャップシステム。
[本発明1044]
第一および第二の組成物が、前記動きの間に、該組成物の少なくとも一方の、他方に向かう制御された動きにより、互いに接触する、本発明1001のキャップシステム。
[本発明1045]
自由流が、制御された動きではない、本発明1044のキャップシステム。
[本発明1046]
前記キャップの動きの間に組成物の少なくとも一方を他方に向けて動かすように配置された組成物移動要素をさらに含む、本発明1001のキャップシステム。
[本発明1047]
第一および第二の組成物が最初はシーリングによって分離されており；キャップシステムがシール破断要素をさらに含み；該シール破断要素が、前記キャップの動きの間、該シーリングを破断して該組成物の少なくとも一方を他方に向けて組成物の制御された速度および／または制御された量でアクティブに動かすように配置されている、本発明1001のキャップシステム。
[本発明1048]
第一の組成物が量Xを有し、第二の組成物が量Yを有し；前記キャップの動きの間に、該組成物の少なくとも一方の少なくとも80体積％、たとえば85体積％、90体積％、95体積％、98体積％または100体積％が他方に向けて動かされる、本発明1001のキャップシステム。
[本発明1049]
第一の組成物および／または第二の組成物が非流動性である、本発明1001のキャップシステム。
[本発明1050]
第一および第二の組成物が、前記動きの間に、該組成物の少なくとも一方の、他方に向かう制御された変位により、互いに接触する、本発明1001のキャップシステム。
[本発明1051]
自由流が、制御された変位ではない、本発明1050のキャップシステム。
【国際調査報告】
2020507528.tif 000033
2020507528.tif 000034
2020507528.tif 000035